(57)【要約】【課題】作業者の目が疲れずかつ、明るい面状発光装置を提供する。【解決手段】複数の発光部２０を配列して発光面２０１を構成する面状光源を具備した面状照明装置２００であって、前記任意の発光部は、発光面の任意の法線に向かう少なくとも１以上の方向Aに対する輝度が、他の方向の輝度よりも小さい配光分布ＤLを有する。発光部が集合して発光面を構成する面状光源を有する面状照明装置として、床面に配置されるものは、発光面内で作業する場合が想定されるが、任意の発光部が、発光面の任意の法線に向かう少なくとも１以上の方向すなわち作業者のいる方向に対する輝度が、他の方向の輝度よりも小さい配光分布を有するようにしているため、作業者に過度の光を照射したり、全体として暗くなったりすることなく、作業者に対しては適度な光を照射しつつ、全体として十分な明るさを確保することが可能となる。【選択図】図１
2010073553.tif 000002
【特許請求の範囲】
【請求項１】
複数の発光部を配列して発光面を構成する面状光源を具備した面状照明装置であって、
前記発光部の少なくとも１つは、発光面の任意の法線に向かう少なくとも１つの方向に対する輝度が、他の方向の輝度よりも小さくなるような配光をもつ面状照明装置。
【請求項２】
請求項１に記載の面状照明装置であって、
前記発光部は、配光部材を具備した点状光源で構成され、
前記配光部材によって、配光が調節可能である面状照明装置。
【請求項３】
請求項２に記載の面状照明装置であって、
前記点状光源は、ＬＥＤ素子であり、前記ＬＥＤ素子の背面側に、可動状態で配設され光射出方向を制御可能な反射性部材からなる配光部材を具備し、
前記配光部材によって、配光が調節可能である面状照明装置。
【請求項４】
請求項２に記載の面状照明装置であって、
前記点状光源は、ＬＥＤ素子であり、前記ＬＥＤ素子の前面側に、回動可能な複数の半透光性部材からなる配光部材を具備し、
前記配光部材によって、配光が調節可能である面状照明装置。
【請求項５】
請求項１乃至４のいずれかに記載の面状照明装置であって、
前記発光面上の圧力を検知する検圧部と、前記検圧部が圧力を検知した領域にむかう方向に対する輝度が、他の方向の輝度よりも小さい配光となるように調節する配光調節部と、を有する面状照明装置。
【発明の詳細な説明】
【技術分野】
【０００１】
本発明は、面状発光装置に関する。
【背景技術】
【０００２】
近年、住宅のリビングダイニングにおいては、その使われ方が多様化しており、同時に複数人が異なる使い方をすることも珍しくはない。
例えば、図９に示すように、ダイニングで食事をしている一方、リビングの一画ではくつろいでいる人がいるような空間においては、開放空間の中で人の存在を感じながらも、プライベート感のあるスペースも確保したいというニーズがあり、モノスペースの中で開放感とプライベート感を同時実現する手法が模索されるようになった。
【０００３】
このような中で、物理的な間仕切りを用いずに、光を使ってゾーンを区切ることで、開放スペースでありながらも心理的にはゆるやかに区切られた、ちょっとしたプライベート感を醸成するようなゾーニングという手法が提案されている。例えば、ダイニングとリビングの一画を光でゾーニングする方法が考えられる。
【０００４】
ここで用いられる光源としては、複数の平面発光ユニットを連結することにより形成した大型の平面照明装置が提案されている（特許文献１）。
【０００５】
このようなゾーニングを実現する手段としては図１０のように複数のＬＥＤを面状に配置し、ある程度の厚みを確保して乳白パネルなどで拡散させ均一に発光させるいわゆるＬＥＤ直下型面光源が考えられる。また有機ＥＬパネルを用いた面光源も考えられる。
【０００６】
【特許文献１】特開平１１−１４２６５２号公報
【発明の開示】
【発明が解決しようとする課題】
【０００７】
しかしこのような従来の面光源の場合、視線方向によらず、輝度（明るさ）がほとんど一定であることがほとんどである。面光源を使用した図１０のような光でゾーニングされた領域で作業（本を読む、食事を取るなど）することを想定すると、作業台と面光源の輝度差が大きくなることになる。作業中も視線は常に作業台のみに向けられているわけではなく面光源やその他の方向に向けられることも多い。視線の方向により目に入る光の量が大きく異なるため、視線の切り替わり時に目の瞳孔などの調節が無意識に頻繁に行われることになり、大きな目の疲れを引き起こすことになる。
【０００８】
このように、発光部が集合して発光面を構成する面状光源を有する面状照明器具として、床面に配置されるものは、発光面内で作業する場合が想定されるが、この場合、任意の発光部は、いずれの方向に対する輝度についても略一律であると、作業者に過度の光を照射するか、全体として暗くなるかのいずれかであり、明るくかつ作業者の目が疲れないような面状発光装置が望まれていた。
【０００９】
本発明は、前記実情に鑑みてなされたもので、作業者の目が疲れずかつ、明るい面状発光装置を提供することを目的とする。
【課題を解決するための手段】
【００１０】
そこで本発明では、複数の発光部を配列して発光面を構成する面状光源を具備した面状照明装置であって、前記発光部の少なくとも１つは、発光面の任意の法線に向かう少なくとも１つの方向に対する輝度が、他の方向の輝度よりも小さくなるような配光を有することを特徴とする。
この構成によれば、発光部が集合して発光面を構成する面状光源を有する面状照明装置として、床面に配置されるものは、発光面内で作業する場合が想定されるが、任意の発光部が、発光面の任意の法線に向かう少なくとも１以上の方向すなわち作業者のいる方向に対する輝度が、他の方向の輝度よりも小さい配光を有するようにしているため、作業者に過度の光を照射したり、全体として暗くなったりすることなく、作業者に対しては適度な光を照射しつつ、全体として十分な明るさを確保することが可能となる。
【００１１】
また本発明では、上記面状照明装置において、前記発光部は、配光部材を具備した点状光源で構成され、前記配光部材によって、配光が調節可能であるものを含む。
この構成によれば、面状光源は、複数の点状光源を配置してなるものであり、各々の点状光源に設けられた配光部材によって、配光が調節されるため、面状光源の配光制御を各部位ごとに簡単に行うことができる。
【００１２】
また本発明では、上記面状照明装置において、前記点状光源は、ＬＥＤ素子であり、前記ＬＥＤ素子の背面側に、可動状態で配設され光射出方向を制御可能な反射性部材からなる配光部材を具備し、前記配光部材によって、配光が調節可能であるものを含む。
この構成によれば、反射鏡などの反射性部材の方向を変えるだけで配光性を調整することができる。
【００１３】
また本発明では、上記面状照明装置において、前記点状光源は、ＬＥＤ素子であり、前記ＬＥＤ素子の前面側に、回動可能な複数の半透光性部材からなる配光部材を具備し、
前記配光部材によって、配光が調節可能であるものを含む。
この構成によれば、半球状の半透光性部材を複数個配置し回動可能にすることで、各配光部材の重なり具合を調整し、所望の配光を容易に提供することが可能となる。
【００１４】
また本発明では、上記面状照明装置において、発光面上の圧力を検知する検圧部と、検圧部が圧力を検知した領域に向かう方向に対する輝度を、他の方向の輝度よりも小さい配光となるように調節する配光調節部と、を有するものを含む。
この構成によれば、発光面上の圧力を検知する検圧部と、検圧部が圧力を検知した領域（における法線）に向かう方向に対する輝度を、他の方向の輝度よりも小さい配光となるように調節する配光調節部とを有するため、作業者の位置を自動検出して配光制御することが可能となるため、効率のよい配光制御を実現することができる。
【発明の効果】
【００１５】
以上説明してきたように、本発明によれば、任意の発光部が、発光面の任意の法線に向かう少なくとも１以上の方向に対する輝度が、他の方向の輝度よりも小さい配光を有するようにしているため、作業者に過度の光を照射したり、全体として暗くなったりすることなく、作業者に対しては適度な光を照射しつつ、全体として十分な明るさを確保することが可能となる。ここで、発光面の任意の法線とは通常作業者のいる位置を通る法線であり、任意の法線に向かう方向とは通常作業者のいる方向であることが多い。
【発明を実施するための最良の形態】
【００１６】
以下、本発明の実施の形態に係る面状発光装置について、図面を参照しつつ詳細に説明する。
【００１７】
（実施の形態１）
図１は本発明の実施の形態の面状発光装置を示す図であり、図１（ａ）は斜視図、図１（ｂ）はこの断面説明図、図２乃至４はこの面状発光装置を用いた床面発光システムの説明図である。
この面状発光装置２００は、図１（ａ）および（ｂ）に示すように、発光部としてＬＥＤ素子２０を複数個格子状に配列して発光面２０１を構成する面状光源を具備した面状照明装置であって、このＬＥＤ素子２０の少なくとも一部が、発光面２０１の任意の法線Ｓに向かう少なくとも１以上の方向Ａに対する輝度が、他の方向の輝度よりも小さい配光分布ＤＬを有することを特徴とする。
【００１８】
ここでは、発光部としてのＬＥＤ素子２０からなる、点状光源を複数配列して面状光源を構成している。この点状光源としてのＬＥＤ素子は図１（ｂ）に示すように、プリント配線基板２１０上に実装されておりＬＥＤチップ２１とその周りに配設された反射鏡からなる配光部材２２とで構成され、この配光部材２２を動かすことによって、配光分布ＤＬが調節可能に構成され、作業者４００の目の方向Ａに向かう光が抑制され、光量が小さくなっている。
【００１９】
この面状光源は筐体２０４内に収納され、上面は拡散性の低い透光性パネル（光透過拡散パネル）２１１で構成されている。この透光性パネル２１１の上面が床面２０２を構成し、その周縁部を除く他の領域は発光面２０１となっている。
【００２０】
次にこの面状発光装置の動作について説明する。
図１に示すように、ＬＥＤ素子２０から発した光は配光部材２２としての反射板により作業者の視線方向Ａに向かう光の輝度が小さくこの視線方向Ａ以外にピークを持つ方向に配光制御される。またそのままでは面光源として機能する均斉度が得られないので光透過拡散パネルを用いる。ただし、通常の光透過拡散パネルでは拡散率が高く、パネルを透過した段階で輝度指向性が一様となってしまうので、拡散率が低めのパネル、つまり拡散性の低い透光性パネル（ポリプロピレン）を用いる。この構成により、輝度指向性を変化させつつ、面光源として機能する十分な均斉度を実現することができる。
【００２１】
実際には、作業者が座る可能性の高い位置を予め決定しておき、その位置における法線上の所定の高さに向かう方向での輝度分布が小さくなるように、配光部材を調整しておくようにする。また、作業者の座る可能性の高い位置を数箇所設定しておき、そのいずれの位置に対してもその位置における法線上の所定の高さに向かう方向での輝度分布が小さくなるように、配光部材を調整するようにしてもよい。さらにまた、作業者の位置に応じて、配光部材の角度を決定しておき、使用に先立ち、作業者が、位置選択ボタンを押すことで、その点における法線上の所定の高さに向かう方向での輝度分布が小さくなるように、配光部材を調整できるようにしてもよい。なお、ここで、作業者が座卓に座る場合と、椅子を使用する場合など複数の高さを設定しておき、高さについても選択することで、目の高さに応じて配光部材を調整し、配光分布を調整できるようにしておくのが望ましい。
【００２２】
なお、この構成によれば発光面の任意の点（Ｐ）の発光部は、発光面の任意の法線に向かう少なくとも１以上の方向すなわちここでは作業者のいる方向に対する輝度が、他の方向の輝度よりも小さい輝度指向性を有するので、作業者に対しては目が疲れない程度の適度な輝度の光を照射できる。よってゾーニングの目的を達成でき、作業者の目の疲れをなくすことができる。また全体として十分な明るさを確保することが可能となる。さらにまたゾーン外の人に対しては、輝度は低下していないので十分なゾーニング効果を維持することができる。
【００２３】
次にこの面状発光装置を用いた床面発光システムの一例について説明する。
図２は、図１に示した面状発光装置２００を光源として用いた床面発光システムの配光制御部材１００を床面に臨む面としての壁面１Ｗに収納した状態を示す斜視図、図３は同床面発光システムの配光制御部材１００を展開した状態を示す斜視図、図４は、同側面図である。
この床面発光システムは、配光制御部材１００が壁面の一部を構成するように埋め込み形成されており、配光制御部材１００の反射面１００Ｓが床面方向に展開し、面状光源としての面状発光装置２００の発光面２０１からの光を床面２０２に向けて反射することによって、作業面３００Ｓである机３００の上面を照射するようにしたものである。
【００２４】
机３００の上の作業面３００Ｓに向けて光照射を行ないたい時は、図３および４に示すように配光制御部材１００を開き、反射面１００Ｓを所望の角度まで開き、図示しない止具で止めて固定する。これにより、面状発光装置２００からの光Ｌ０は配光制御部材の反射面１００Ｓによって全反射され、反射光Ｌ１が机３００の作業面３００Ｓを照射する。
机の位置に応じて、図示しないリモートコントローラを用いてこの配光制御部材１００の反射面１００Ｓの開き角を調整することで、反射光Ｌ１の方向を調整し、作業面３００Ｓに効率よく光照射がなされるように構成される。
【００２５】
すなわち本発明の床面発光システムは、配光制御部材１００が、床面２０２に対して垂直に起立された壁面１Ｗに収納可能な反射面を具備し、面状発光装置２００からの出射光に対する反射面のなす角が調整可能であるようにしている。ここでは、この配光制御部材１００は、床面２０２に平行となるように壁面１Ｗに配設された軸Ｏ１と、この軸Ｏ１に対して回動可能な反射面１００Ｓとを具備している。
【００２６】
上記構成によれば、作業者４００に直接光が入るのを抑制することができ、しかも視作業をする場合には、配光制御部材（壁面の一部）が床面方向に展開し、面状発光装置（床面）からの光を床面に向けて反射することによって、作業面を照射する。
このため、配光制御部材１００によって、面状発光装置２００からの光を床面２０２および机面に向けて反射できるので、床面２０２および机面上で視作業する際のモノの視認性を上げることができる。
また、別体の照明を設けなくとも反射光により作業面を照明することができるので、簡便であり、空間が煩雑にならない。また、面状発光装置からの光のみを有効活用できるので電気エネルギーアップにならずにすむ。
【００２７】
ここで本発明の面状発光装置２００は、面状配列されたＬＥＤ素子２０と配光部材（配光制御反射板）２１と散乱性の低い透光性パネル２１１（光透過拡散パネル）とを具備し、面実装型ＬＥＤ素子（ＳＭＤ型ＬＥＤ素子）を、配光部材２１を構成する反射面の方向を調整しつつ、作業者のメイン作業ポジションにおける視線方向の光が少なくなるように設計がなされている。ＬＥＤ素子はプリント配線基板上に実装してもよいし、基板と一体となったＳＭＤ型ＬＥＤ素子を用い、ＬＥＤ素子間で電気配線がなされるようにしてもよい。配光部材２１を構成する反射板はアルミニウムなどの金属、またはガラス、プラスチックなどを基材としたものに蒸着法、スパッタリング法などで反射面を形成したものが望ましい。反射面は鏡面または基材にサンドブラスト処理、ディンプル形状などを施し、若干の拡散効果を持たせてもよい。
【００２８】
また、本実施の形態では、多数のＬＥＤ素子がプリント配線基板上に配列されている。各ＬＥＤ光源は、それぞれ赤色光、緑色光、青色光を発光するＬＥＤ素子をまとめて１つの光源としてもよいし、各発光色で分けられていてもよい。なお、ＬＥＤ素子の発光色は一例であって、かかる発光色に限定されるものではない。なお、各ＬＥＤ素子に流す電流比率を制御することによって、光線の色成分を変化させることが可能である。
【００２９】
上記のような光源の周縁に筐体や光透過拡散パネル２１１を配設し面状発光装置２００を形成する。筐体には壁、床等の電気配線と接続するための電気接点が設けられている。また、光透過拡散パネル２１１は、光源の上方に配設され、光源を発光させたときに、面状発光装置２００の発光面２０１となる。
【００３０】
ここで、面状発光装置の筐体を構成する素材としては、プラスチックやこれらにガラス繊維などの強化充填材を配合したもの、アルミニウム合金、鉄、マグネシウム合金のような金属、木材などが適用可能であり、特に限定されるものではないが、割れにくい素材であることが望ましい。
【００３１】
また、発光面２０１を構成する光透過パネル２１１の構成素材としては、透光性プラスチックやガラスなどが挙げられるが、所望の光学特性が得られ、発光面２０１を所望の外観にできれば、特に限定されるものではない。また、消灯時に床板や絨毯等の外観が必要な場合は、本発明の目的を損なわない範囲で、光透過パネルの上に床板や絨毯の外観に似せた光透過性の素材を積層してもよいし、光透過パネルに擬似印刷したものを用いてもよい。
【００３２】
面状発光装置２００は床面２０２上に床の一部として配設されるが、配設位置は部屋の中央、壁際など特に限定されるものではない。また配置形態としても、固定されていてもよいし、移動可能な構造としてもよい。ここでは一例として、壁際に配設した例を示している。
【００３３】
次に配光制御部材１００について説明する。
ここに示す配光制御部材１００は、壁面に組み込んだものである。
作業面を明るくしたい場合に、配光制御部材を床面方向に展開し、面状発光装置からの光を床面に向けて反射する。この配光制御部材１００は回動軸を軸として、１８０度回動可能である。回動軸には、適度な制動機構が内蔵されており、回動範囲内であれば、任意の角度で保持することが可能である。よって光の反射方向を制御することができるので作業面の位置が変化しても対応可能である。また、配光制御部材の配設位置は、面状発光装置からの光を所望の方向に反射することができれば特に限定されるものではない。
【００３４】
また、配光制御部材１００の形状、サイズは、所望の光学特性が得られれば特に限定されるものではない。
さらに、配光制御部材の光反射面１００Ｓは、鏡面、光拡散面など所望の光学特性が得られれば特に限定されるものではない。
【００３５】
ここで、配光制御部材１００を構成する素材としては、プラスチックやこれらにガラス繊維などの強化充填材を配合したもの、アルミニウム合金、鉄、マグネシウム合金のような金属、木材、石膏ボードなどが適用可能であるが特に限定されるものではない。
【００３６】
（実施の形態２）
次に本発明の実施の形態２について説明する。
図５は本発明の実施の形態２の面状発光装置を示す図であり、図５（ａ）は斜視図、図５（ｂ）はこの断面説明図、図６は１つのＬＥＤ素子の拡大斜視図である。
この面状発光装置２００は、前記実施の形態１の面状発光装置に比べＬＥＤ素子２０の配光部材をＬＥＤチップ２１の背面に設けられる反射板に代えて、図６に示すように、ＬＥＤチップ２１の前面を囲む半球状半透光性フィルムを配光部材３２として用いたことを特徴とするものである。この半球状半透光性フィルムからなる配光部材３２はＬＥＤチップを中心として回動可能な半球状半透光性フィルムからなる可動片３２ａ、３２ｂを具備しており，この可動片３２ａ、３２ｂの重なり具合によって作業者の目の方向の光を遮光するように構成している。この点状光源としてのＬＥＤ素子は図５（ｂ）に示すように、プリント配線基板２１０上に実装されておりＬＥＤチップ２１とその前面に配設された配光部材３２とで構成され、この配光部材３２を動かすことによって、配光分布ＤＬが調節可能に構成され、作業者４００の目の方向Ａに向かう光が抑制され、光量が小さくなっている。
【００３７】
他部については、前記実施の形態１の面状発光装置と同様に形成されており、図５（ａ）および（ｂ）に示すように、発光部としてＬＥＤ素子２０を複数個格子状に配列して発光面２０１を構成する面状光源を具備した面状照明装置であって、このＬＥＤ素子２０のそれぞれが、発光面２０１の、作業者４００の位置の法線Ｓに向かう方向に対する輝度が、他の方向の輝度よりも小さい配光分布を有することを特徴とする。
【００３８】
ここでも、発光部としてのＬＥＤ素子２０からなる、点状光源を複数配列して面状光源を構成している。
ここでも、ＬＥＤ素子から発した光は、半球状半透光性フィルムからなる配光部材３２を用いたことにより作業者の視線方向以外にピークを持つ方向に配光制御する。またそのままでは面光源として機能する均斉度が得られないため、低拡散性の透光性パネルを用いる。ただし、通常の低拡散性の透光性パネルでは拡散率が高く、パネルを透過した段階で輝度指向性が一様となってしまうので、拡散率が低めのパネルを用いる。それにより輝度指向性を変化させつつ、面光源として機能する十分な均斉度を実現することができる。
【００３９】
またこの構成によれば、面状光源は、複数の点状光源を配置してなるものであり、各々の点状光源に設けられた光学部材によって、輝度指向性が調節されるので，面状光源の配光制御を各部位ごとに簡単に行うことができる。作業者の位置、好みによって柔軟に特性を変化させることができる。
【００４０】
（実施の形態３）
次に本発明の実施の形態３について説明する。
図７は本発明の実施の形態３の床面発光システムに用いられる面状発光装置を示す図であり、図７（ａ）は斜視図、図７（ｂ）はこの断面説明図である。
この面状発光装置２００は、前記実施の形態２の面状発光装置に比べ、圧力センサ５０１からなる検圧部を具備した点が異なる。すなわち、この面状発光装置２００は、発光面上の圧力を検知する圧力センサ５０１からなる検圧部と、検圧部が圧力を検知した方向に対する輝度を、他の方向の輝度よりも小さい配光分布ＤＬとなるように調節する配光調節部としての制御ボックス５０２とを具備している。
【００４１】
この面状発光装置では、圧力センサ５０１からの出力に基づいて、作業者４００の位置を検出する。そして、この検出結果に基づき制御ボックス５０２で信号処理を行い、自動的に作業者の位置検出を行ないＬＥＤ素子２０の配光部材を動かし、作業者４００の方向の光を遮光して作業者４００の方向の光量が小さくなるように、配光分布を制御し、作業者４００の目に光が入射する光量を低減するようにしている。
【００４２】
ここでも配光部材３２は、図６に示したのと同様のものを使用しており、ＬＥＤチップ２１の前面を囲む半球状半透光性フィルムを配光部材３２として用いている。この半球状半透光性フィルムからなる配光部材３２はＬＥＤチップを中心として回動可能な可動片３２ａ、３２ｂを具備しており，この可動片３２ａ、３２ｂの重なり具合によって作業者の目の方向の光を遮光する。この点状光源としてのＬＥＤ素子は図７（ｂ）に示すように、プリント配線基板２１０上に実装されておりＬＥＤチップ２１とその前面に配設された配光部材３２とで構成され、圧力センサ５０１の出力に基づいて制御ボックス５０２が出力する信号により、この配光部材３２の可動片３２ａ、３２ｂを動かすことによって、これらの重なり具合により、配光分布が調節可能に構成され、作業者４００の目の方向Ａに向かう光が抑制され、光量が小さくなる。
【００４３】
また、この圧力センサ５０１の上層は保護シート２１２で被覆され、表面が平坦となるように構成されている。
【００４４】
なお、圧力センサ５０１としては、機械式と電子式があり、電子式にはさらにシリコンダイヤフラム式にステンレスダイヤフラム式に分けられる。ここでは圧力を感知し、それを電気信号としてフィードバックできるものであればいかなる方式でも適用可能である。
【００４５】
更に、保護シート２１２としては、圧力センサ５０１を保護し、表面の平坦化を図ることのできるシート状体が用いられるが、光をほとんど損失、拡散することのない透明シートであることが望ましい。また実際に圧力がかかった領域のみの圧力センサに力が伝わるやわらかい素材であることが望ましく、例えばポリプロピレンなどが望ましいが、これに限定されるものではない。
【００４６】
また、制御ボックス５０２としては、圧力センサ５０１からの電気信号を受けてデータ取得、演算、命令をするためのものが望ましい。
【００４７】
次に本実施の形態の面状発光装置の動作について説明する。
図８は作業者視線方向の輝度値を自動的に少なくするためのフローチャートである。
まず、面状発光装置２００の床面２０２に人が座ると、結果的に複数の圧力センサ５０１がこれを検知する（Ｓ１００１）。
そして、この各圧力センサ５０１の検出結果に基づき、圧力を感知した複数の圧力センサ５０１のうち、中央の圧力センサ５０１の位置を検出する（Ｓ１００２）。
【００４８】
上記演算処理により得られた中央の圧力センサ５０１の中心位置を作業者４００の位置とし、この位置における法線Ｓ上の床面２０２から所定の高さＨの位置を作業者４００の目の位置Ｏとし、各ＬＥＤ素子２０に対してこの位置Ｏを臨む方向を決定する（Ｓ１００３）。これらの一連の演算処理は制御ボックス５０２で行うものとする。
このようにして決定された方向における輝度が最小となるように配光片の位置を制御する（Ｓ１００４）。
【００４９】
このようにして、ＬＥＤ素子２０のＬＥＤチップ２１から発した光は半透光性フィルムにより作業者の視線方向以外にピークを持つ方向に配光制御される。また面光源として機能する均斉度を高めるために透光性の光拡散パネル２１１を用いる。ただし、通常の光透過拡散パネルでは拡散率が高く、パネルを透過した段階で輝度指向性が一様となってしまうので、拡散率が低めのパネルを用いる。それにより輝度指向性を変化させつつ、面光源として機能する十分な均斉度を実現することができる。半透光性フィルムは略半球の構造の一部であり、光軸を中心として回転させることができる。
【００５０】
以上説明してきたように、本実施の形態によれば、発光面上の圧力を検知する検圧部と、検圧部が圧力を検知した方向に対する輝度を、他の方向の輝度よりも小さい配光分布となるように調節する配光調節部とを有しているため、作業者の位置を自動検出して配光制御することが可能となる。
【図面の簡単な説明】
【００５１】
【図１】本発明の実施の形態１に係る面状発光装置を示す図
【図２】本発明の実施の形態１に係る面状発光装置を用いた床面発光システムの配光制御部材収納時の状態を示す斜視図
【図３】本発明の実施の形態１に係る面状発光装置を用いた床面発光システムの配光制御部材展開時の状態を示す斜視図
【図４】本発明の実施の形態１に係る面状発光装置を用いた床面発光システムの配光制御部材展開時の状態を示す側面図
【図５】本発明の実施の形態２に係る面状発光装置を示す図
【図６】本発明の実施の形態２に係る面状発光装置で用いられるＬＥＤ素子を示す図
【図７】本発明の実施の形態３に係る面状発光装置を示す図
【図８】本発明の実施の形態３に係る面状発光装置の動作を示すフローチャート図
【図９】ゾーニング後の面状発光装置を示す図
【図１０】従来例の面状発光装置を示す図
【符号の説明】
【００５２】
１００  配光制御部材
２００  面状発光装置
２０    ＬＥＤ素子（発光部）
２０１  発光面
２０２  床面
２１１  透光性パネル
２１２  保護シート
３００Ｓ  作業面
３００  机
４００  作業者
５０１  圧力センサ
５０２  制御ボックス
【図１】
2010073553.tif 000003
【図２】
2010073553.tif 000004
【図３】
2010073553.tif 000005
【図４】
2010073553.tif 000006
【図５】
2010073553.tif 000007
【図６】
2010073553.tif 000008
【図７】
2010073553.tif 000009
【図８】
2010073553.tif 000010
【図１０】
2010073553.tif 000011
【図９】
2010073553.tif 000012